(57)【特許請求の範囲】
【請求項１】
容器の口部に取り付け、使用時にトリガーレバーを回動してピストンを押し込んだとき、シリンダ室内の内容物を噴口から外部へと噴出するとともに、前記容器内の内容物を前記シリンダ室内に吸い上げる、ポンプ型トリガー式噴出器の噴出ポンプ装置において、
前記ピストンのまわりに取り付ける止めキャップと、
その止めキャップに回動自在に取り付ける前記トリガーレバーと、
そのトリガーレバーにより押し下げ可能とする押下部材と、
前記止めキャップにはめ付けて、前記押下部材を介して前記トリガーレバーとの間に、前記ピストンの往復動方向まわりにロック位置とロック解除位置とに回動自在に設け、ロック位置としたとき前記押下部材の突き当て突部を自身の段部に突き当てて前記トリガーレバーの回動を阻止する一方、ロック解除位置としたとき前記押下部材の突き当て突部を自身の逃げ凹部に内に入り込ませて前記トリガーレバーの回動を可能とするストッパ部材と、
を備えることを特徴とする、噴出ポンプ装置。
【請求項２】
前記ストッパ部材に、それを回動操作するときに指を当てる指当て部を設けることを特徴とする、請求項１に記載の噴出ポンプ装置。
【請求項３】
前記ストッパ部材を、ロック位置とロック解除位置とにクリック感をもって回動自在とすることを特徴とする、請求項１または２に記載の噴出ポンプ装置。
【請求項４】
請求項１ないし３のいずれか１に記載の噴出ポンプ装置を備えることを特徴とする、ポンプ型トリガー式噴出器。
【請求項５】
容器の口部に取り付け、使用時にトリガーレバーを回動してステムを押し込んだとき、バルブを開き、前記容器内の内容物を噴射材の圧力で前記ステム内を通して噴口から外部へと噴出する、エアゾール型トリガー式噴出器の噴出バルブ装置において、
前記ステムのまわりに取り付ける止めキャップと、
その止めキャップに回動自在に取り付ける前記トリガーレバーと、
そのトリガーレバーにより押し下げ可能とする押下部材と、
前記止めキャップにはめ付け、前記押下部材を介して前記トリガーレバーとの間に、前記ステムの往復動方向まわりにロック位置とロック解除位置とに回動自在に設け、ロック位置としたとき前記押下部材の突き当て突部を自身の段部に突き当てて前記トリガーレバーの回動を阻止する一方、ロック解除位置としたとき前記押下部材の突き当て突部を自身の逃げ凹部に内に入り込ませて前記トリガーレバーの回動を可能とするストッパ部材と、
を備えることを特徴とする、噴出バルブ装置。
【請求項６】
前記ストッパ部材に、それを回動操作するときに指を当てる指当て部を設けることを特徴とする、請求項５に記載の噴出バルブ装置。
【請求項７】
前記ストッパ部材を、ロック位置とロック解除位置とにクリック感をもって回動自在とすることを特徴とする、請求項５または６に記載の噴出バルブ装置。
【請求項８】
請求項５ないし７のいずれか１に記載の噴出バルブ装置を備えることを特徴とする、エアゾール型トリガー式噴出器。
【発明の詳細な説明】
【０００１】
【発明の属する技術分野】
この発明は、使用時にトリガーレバーを回動して容器内の内容物を噴口から外部へと噴出する、化粧用・消毒用・洗浄用・薬用・塗装用などのトリガー式噴出器に関する。ならびに、そのようなトリガー式噴出器において、容器の口部に取り付け、使用時にトリガーレバーを回動してピストンを押し込んだとき、シリンダ室内の内容物を噴口から外部へと噴出するとともに、容器内の内容物をシリンダ室内に吸い上げる、ポンプ型トリガー式噴出器で用いる噴出ポンプ装置、および容器の口部に取り付け、使用時にトリガーレバーを回動してステムを押し込んだとき、バルブを開き、容器内の内容物を噴射材の圧力でステムを通して噴口から外部へと噴出する、エアゾール型トリガー式噴出器で用いる噴出バルブ装置に関する。
【０００２】
【従来の技術】
従来、トリガー式噴出器の中には、例えば特開２０００−２１０６０１号公報に記載されるように、不使用時にノズルまわりに、ストッパ部材であるロック部材を外付けし、そのロック部材でトリガーレバーの回動を阻止するものがある。
【０００３】
また、特開２０００−２３３１４５号公報に記載のように、ノズルまわりに、ストッパ部材であるロック部材を回動自在に組み付け、不使用時にはロック部材を回動してその操作部をカバーの割溝を通して外部に突出し、トリガーレバーの回動を阻止するものがある。
【０００４】
【発明が解決しようとする課題】
ところが、いずれも見栄えが悪く、使用時はストッパ部材を外したり、またストッパ部材が外れやすい構成であったりしたから、ストッパ部材を紛失するおそれがあった。しかも、片手で簡単に操作することができず、操作性が悪いという問題点があった。
【０００５】
そこで、この発明の目的は、そのような問題点を解消し、トリガー式噴出器の見栄えを良くし、またトリガーレバーの回動を阻止するストッパ部材の紛失のおそれをなくすとともに、ストッパ部材を片手で簡単に操作できるようにして操作性を向上することにある。
【０００６】
【課題を解決するための手段】
かかる目的を達成すべく、請求項１に記載の発明は、容器の口部に取り付け、使用時にトリガーレバーを回動してピストンを押し込んだとき、シリンダ室内の内容物を噴口から外部へと噴出するとともに、容器内の内容物をシリンダ室内に吸い上げる、ポンプ型トリガー式噴出器の噴出ポンプ装置において、
ピストンのまわりに取り付ける止めキャップと、
その止めキャップに回動自在に取り付けるトリガーレバー、
そのトリガーレバーにより押し下げ可能とする押下部材と、
前記止めキャップにはめ付けて、前記押下部材を介して前記トリガーレバーとの間に、前記ピストンの往復動方向まわりにロック位置とロック解除位置とに回動自在に設け、ロック位置としたとき前記押下部材の突き当て突部を自身の段部に突き当てて前記トリガーレバーの回動を阻止する一方、ロック解除位置としたとき前記押下部材の突き当て突部を自身の逃げ凹部に内に入り込ませて前記トリガーレバーの回動を可能とするストッパ部材と、
を備える、ことを特徴とする。
【０００８】
請求項２に記載の発明は、請求項１に記載の噴出ポンプ装置において、ストッパ部材に、それを回動操作するときに指を当てる指当て部を設ける、ことを特徴とする。
【０００９】
請求項３に記載の発明は、請求項１または２に記載の噴出ポンプ装置において、ストッパ部材を、ロック位置とロック解除位置とにクリック感をもって回動自在とする、ことを特徴とする。
【００１０】
請求項４に記載の発明は、ポンプ型トリガー式噴出器にあって、請求項１ないし３のいずれか１に記載の噴出ポンプ装置を備える、ことを特徴とする。
【００１１】
請求項５に記載の発明は、容器の口部に取り付け、使用時にトリガーレバーを回動してステムを押し込んだとき、バルブを開き、容器内の内容物を噴射材の圧力でステム内を通して噴口から外部へと噴出する、エアゾール型トリガー式噴出器の噴出バルブ装置において、
前記ステムのまわりに取り付ける止めキャップと、
その止めキャップに回動自在に取り付ける前記トリガーレバーと、
そのトリガーレバーにより押し下げ可能とする押下部材と、
前記止めキャップにはめ付け、前記押下部材を介して前記トリガーレバーとの間に、前記ステムの往復動方向まわりにロック位置とロック解除位置とに回動自在に設け、ロック位置としたとき前記押下部材の突き当て突部を自身の段部に突き当てて前記トリガーレバーの回動を阻止する一方、ロック解除位置としたとき前記押下部材の突き当て突部を自身の逃げ凹部に内に入り込ませて前記トリガーレバーの回動を可能とするストッパ部材と、
を備える、ことを特徴とする。
【００１３】
請求項６に記載の発明は、請求項５に記載の噴出バルブ装置において、ストッパ部材に、それを回動操作するときに指を当てる指当て部を設ける、ことを特徴とする。
【００１４】
請求項７に記載の発明は、請求項５または６に記載の噴出バルブ装置において、ストッパ部材を、ロック位置とロック解除位置とにクリック感をもって回動自在とする、ことを特徴とする。
【００１５】
請求項８に記載の発明は、エアゾール型トリガー式噴出器にあって、請求項５ないし７のいずれか１に記載の噴出バルブ装置を備えてなる、ことを特徴とする。
【００１６】
【発明の実施の形態】
以下、図面を参照しつつ、この発明の実施の形態につき説明する。
図１にはこの発明に係るポンプ型トリガー式噴出器の噴出ポンプ装置の外観を、図２にはその縦断面を示す。
【００１７】
図中符号１０は、容器である。容器１０は、プラスチック材料でボトル形状につくり、その口部１０ａ外周に雄ねじを設け、内部に、内容物として噴霧液を収納する。
【００１８】
その容器１０の口部１０ａには、噴出ポンプ装置Ｐを取り付ける。
噴出ポンプ装置Ｐには、ねじキャップ１２を設ける。ねじキャップ１２は、内周に雌ねじを有するとともに、頂部１２ａ中央に中心孔１２ｂをあけてなる。そして、頂部１２ａをシリンダ１３のフランジ１３ａ上に乗せ、容器１０の口部１０ａに被せてねじ付け、口部１０ａとの間でパッキンを圧縮して取り付ける。
【００１９】
シリンダ１３は、図示例では、途中に三つの段部１３ｂ・１３ｃ・１３ｄを設けて図中下方に向け順次小径とする。
【００２０】
そのシリンダ１３の上部には、第１の段部１３ｂまわりに前述したフランジ１３ａを設けるとともに、そのすぐ下に径方向に貫通する空気吸込み孔１３ｅをあけ、またねじキャップ１２の中心孔１２ｂを通して上端部１３ｆを上向きに突出する。
【００２１】
他方、シリンダ１３の下部には、第３の段部１３ｄ位置の下内部に、下方に向けて漸次小径となる弁座１３ｇを設ける。弁座１３ｇの下には、管状の管取付口１３ｈを続けて設ける。そして、その管取付口１３ｈ内に吸上げパイプ１４の上端部を圧入する。
【００２２】
このようなシリンダ１３内には、ボール状の逆止弁１６を入れて弁座１３ｇ上に乗せてから、コイルバネ１７を挿入して第３の段部１３ｄ上に乗せる。その後、コイルバネ１７上に鍔部１８ａを載せて第１ピストン１８をシリンダ１３内に挿入する。
【００２３】
第１ピストン１８は、単独で図３に示すように、鍔部１８ａの上面に環状溝１８ｂを上向きに形成するとともに、鍔部１８ａのすぐ上外周に複数の縦溝１８ｃを設ける。
【００２４】
図２に示すように、そのような第１ピストン１８の鍔部１８ａ上には弾性弁２０を載せ、これによりシリンダ１３内にシリンダ室Ｓを区画する。弾性弁２０は、単独で図４にも示すように断面Ｈ型のものを環状に設けてなり、外周下端２０ａをシリンダ１３の内周面に押し当てるとともに、その外周下端２０ａよりやや短い内周下端２０ｂを環状溝１８ｂ内に挿入し、上向きに突出する内周筒部２０ｃを第１ピストン１８の外周に小さな間隙ａを隔てて沿わせてなる。
【００２５】
第１ピストン１８上には、その第１ピストン１８とともにピストン２１を構成する第２ピストン２２を載せる。第２ピストン２２には、単独で図５にも示すように、上から順に、細長い小径筒部２２ａと中径筒部２２ｂと大径筒部２２ｃと足部２２ｄを設ける。中径筒部２２ｂには、内周に複数の縦溝２２ｅを有し、また第１ピストン１８の上部を挿入する。大径筒部２２ｃには、傾斜する肩部２２ｆを有し、内周面に弾性弁２０の内周筒部２０ｃの上端を押し当てる。
【００２６】
足部２２ｄは、図示例では図６（Ａ）にも示すように４つ大径筒部２２ｃの下端から下向きにのばし、先端を内周筒部２０ｃの傾斜する基部外面２０ｅに接触する。この足部２２ｄは、図６（Ｂ）に示すように幅ｂを大きくしてもよいし、図示省略するが小さくしてもよい。また、数を減らして図６（Ｃ）に示すように２つにしてもよいし、図示省略するが数を増やしてもよい。
【００２７】
第２ピストン２２の大径筒部２２ｃのまわりには、止めキャップ２３を取り付ける。止めキャップ２３は、キャップ部２３ａと、その頂部から同心にて上向きに突出する筒部２３ｂと、キャップ部２３ａの肩部から斜め上向きにのびる支柱部２３ｃとからなる。
【００２８】
キャップ部２３ａは、シリンダ１３の上端部１３ｆまわりに被せるようにはめ付け、頂部１２ａを挟んでねじキャップ１２を抜け止めするとともに、第１の段部１３ｂとの間でパッキン２４を圧縮する。パッキン２４には、弾性弁２０の外周上端２０ｄを接触している。
【００２９】
筒部２３ｂには、内周上部に環状溝２３ｄを設けるとともに、外周の支柱部２３ｃ側から上向きにクリック係合部２３ｅを突出する。そして、環状溝２３ｄ内に上からストッパ部材２５を回動自在にはめ付ける。ストッパ部材２５は、図７ならびに図８（Ａ）および（Ｂ）からも判るとおり、筒部２３ｂにはめ付けるスカート部２５ａと、そのスカート部２５ａ上に同心に設ける円筒部２５ｂと、その円筒部２５ｂ外周から径方向にのびる指当て部２５ｃとからなる。
【００３０】
円筒部２５ｂには、内周面上縁に段部２５ｄを形成するとともに、その段部２５ｄから下向きに縦溝状に逃げ凹部２５ｅを１８０度の間隔をあけて２つのばし、入口にはテーパ２５ｆを設けている。また、外周面の下縁には、指当て部２５ｃと９０度および１８０度の間隔でクリック突部２５ｇを３つ設ける。そして、そのうちの１つのクリック突部２５ｇをクリック係合部２３ｅにクリック感をもって弾性的にはめ付け、ストッパ部材２５の回動位置をロック位置とロック解除位置とに位置決めする。
【００３１】
他方、止めキャップ２３の支柱部２３ｃは、先端にトリガーレバー２６の基端を回動自在に取り付ける。トリガーレバー２６は、直角に折れ曲がり、その曲げ部に切欠き２６ａを有する周面部２６ｂと、その両側に対向するように設ける側面部２６ｃとからなる。側面部２６ｃの内面には、下向きに係合凹部２６ｄを形成する。
【００３２】
係合凹部２６ｄは、押下部材２７の円形の係合突部２７ａに係合する。押下部材２７は、エルボ状にほぼ９０度に折り曲げて、垂直に設ける基端側の一重パイプ部２７ｂと、水平に設ける先端側の二重パイプ部２７ｃとで構成する。そして、図９に示すように、一重パイプ部２７ｂの上部両側には、上述した円形の係合突部２７ａと、それから下向きにのびる細長リブ状の突き当て突部２７ｄを設ける。
【００３３】
二重パイプ部２７ｃは、外筒部とそれよりやや突出する内筒部とからなり、図２に示すようにそれらの間にノズルホルダ２８の円筒基端２８ａ側をはめ付ける。ノズルホルダ２８には、先端側にノズル部材３０を取り付け、そのノズル部材３０に設ける噴口３０ａを、二重パイプ部２７ｃの内筒部内の吐出流路２７ｅに連通する。
【００３４】
押下部材２７は、一重パイプ部２７ｂを、ストッパ部材２５の円筒部２５ｂと止めキャップ２３の筒部２３ｂ内に挿入して第２ピストン２２の小径筒部２２ａと中径筒部２２ｂに被せ、ノズルホルダ２８をトリガーレバー２６の切欠き２６ａを通して外に向けて突出する。そして、押下部材２７の吐出流路２７ｅを、第２ピストン２２の小径筒部２２ａ内の流路２２ｇと連通するとともに、係合突部２７ａ上に係合凹部２６ｄを乗せる。
【００３５】
そして、不使用時は、ストッパ部材２５の指当て部２５ｃを図１および図２に示すようにトリガーレバー２６の指掛け部２６ｅ側に向け、反対側のクリック突部２５ｇをクリック係合部２３ｅにクリック感をもってはめ付け、ストッパ部材２５をロック位置とする。すると、このとき指掛け部２６ｅに指を掛け、トリガーレバー２６を回動しようとしても、押下部材２７の突き当て突部２７ｄがストッパ部材２５の段部２５ｄに突き当たり、押下部材２７の押し下げを阻止してトリガーレバー２６の回動を規制し、ピストン２１の押し込みを妨げる。
【００３６】
いま、この噴出器を使用するときは、容器１０を持って指当て部２５ｃに指を当て、ストッパ部材２５をピストン２１の往復動方向まわりに任意の方向に回動し、指当て部２５ｃから９０度離れた位置にあるクリック突部２５ｇのいずれか一方をクリック係合部２３ｅにクリック感をもってはめ付け、ストッパ部材２５をロック解除位置とする。
【００３７】
その後、指掛け部２６ｅに指を掛け、図１０に示すようにトリガーレバー２６を反時計方向に回動すると、押下部材２７の突き当て突部２７ｄがストッパ部材２５の逃げ凹部２５ｅ内に入り込み、押下部材２７の押し下げを可能として弾性弁２０をともなってピストン２１をコイルバネ１７に抗して押し込み、シリンダ室Ｓ内の圧力を上昇して弾性弁２０を押し上げる。
【００３８】
シリンダ室Ｓ内の圧力が一定以上となると、第２ピストン２２の足部２２ｄを変形して外向きに開き、弾性弁２０と第１ピストン１８との間に隙間をつくり、第１ピストン１８の鍔部１８ａの環状溝１８ｂから弾性弁２０の内周下端２０ｂを引き出す。そして、シリンダ室Ｓ内の内容物を縦溝１８ｃを通して第２ピストン２２内に入れ、第２ピストン２２の縦溝２２ｅから流路２２ｇを通して押下部材２７の吐出流路２７ｅに入れ、押下部材２７内を通して噴口３０ａから外部へと噴出する。やがて、第１ピストン１８の鍔部１８ａを、シリンダ１３の第２の段部１３ｃに当てて止める。
【００３９】
そして、シリンダ室Ｓ内の内容物を噴出してシリンダ室Ｓ内の圧力が低下すると、足部２２ｄの変形を戻して弾性弁２０を押し下げ、再び鍔部１８ａの環状溝１８ｂ内に弾性弁２０の内周下端２０ｂを入れ、指掛け部２６ｅから指を離すとともに、コイルバネ１７の付勢力によりピストン２１および押下部材２７を上昇し、トリガーレバー２６を時計方向に回動して元の状態に戻す。
【００４０】
すると、シリンダ室Ｓ内の圧力が負圧化してボール弁１６を開き、容器１０内の内容物を吸上げパイプ１４を通してシリンダ室Ｓ内に吸い上げる。そして、シリンダ室Ｓ内の圧力が大気圧となったところで、再びボール弁１６が弁座１３ｇ上に落下して吸込み口を塞ぐ。
【００４１】
そこで、トリガーレバー２６を回動すると、内容物を噴口３０ａから再度噴出することができる。この繰り返しにより、容器１０内の内容物がなくなるまで何度でも噴出することができる。
【００４２】
使用を中断するときは、指当て部２５ｃに指を当ててストッパ部材２５をピストン２１の往復動方向まわりに回動し、再び図２に示すロック位置として押下部材２７の押し下げを阻止し、トリガーレバー２６の回動を規制する。
【００４３】
なお、図示例において、蓄圧状態を高めてシリンダ室Ｓ内の内容物を比較的強い圧力で一気に噴出する設計とするときには、第２ピストン２２として図６（Ｂ）に示すように足部２２ｄの幅ｂの大きなものを用いたり、足部２２ｄの数の多いものを用いたり、弾性弁２０の内周筒部２０ｃにおける基部外面２０ｅの傾斜角の大きなものを用いたりして、足部２２ｄを変形しにくくし、弾性弁２０の上昇を押さえる力を強くする。
【００４４】
逆に蓄圧状態を弱めてシリンダ室Ｓ内の内容物を比較的弱い圧力で噴出する設計とするときには、第２ピストン２２として足部２２ｄの幅ｂの小さなものを用いたり、図６（Ｃ）に示すように足部２２ｄの数の少ないものを用いたり、弾性弁２０の内周筒部２０ｃにおける基部外面２０ｅの傾斜角の小さなものを用いたりして、足部２２ｄを変形しやすくし、弾性弁２０の上昇を押さえる力を弱くする。
【００４５】
ところで、上述した図1ないし図１０に示す例では、ポンプ型トリガー式噴出器において、見栄えを良くし、またトリガーレバーの回動を阻止するストッパ部材の紛失のおそれをなくすとともに、ストッパ部材を片手で簡単に操作できるようにして操作性を向上した。しかし、図１１ないし図１４に示すように、ポンプ型ではなく、エアゾール型トリガー式噴出器に適用して、同様の効果を得ることもできる。
【００４６】
エアゾール型トリガー式噴出器では、アルミニウム・スチール等の金属製の容器４０の口部に噴出バルブ装置Ｂを取り付ける。
【００４７】
図１２に示すように、噴射バルブ装置Ｂには、中段に段部５１を有する縦筒状のハウジング５０を備える。ハウジング５０には、段部５１の上に大径部５２を、下に小径部５３を設け、それらの大径部５２内と小径部５３内とを連通する。
【００４８】
小径部５３には、パイプ５６の上端部を圧入する。パイプ５６は、この噴射バルブ装置Ｂを容器４０の口部に取り付けたとき、容器４０の底部へと向けてのばす。そして、噴射材の圧力で内容物を押し上げ、そのパイプ５６内を通して小径部５３内から大径部５２内へと入れる。
【００４９】
大径部５２は、内周面に複数の縦溝５２ａを有し、内部に段部５１上に載せてコイルスプリング６０を設ける。そして、そのコイルスプリング６０上にステム６２を乗せる。ステム６２には、下部にヘッド部６３を設け、そのヘッド部６３の上に首部６４を設け、上端部に円筒部材取付部６５を設ける。
【００５０】
首部６４には、外周面から中心へと径方向に貫通する貫通孔６４ａをあける。円筒部材取付部６５には、中心に吐出通路６５ａをあけ、貫通孔６４ａと連通している。
【００５１】
そして、首部６４に、弾性部材である環板状のステムラバー（バルブ）６７を取り付け、ヘッド部６３を大径部５２内に入れてコイルスプリング６０上に乗せる。これにより、縦溝５２ａとともに、大径部５２の内周面とヘッド部６３の外周面との隙間で内容物吐出通路６８を形成して、ステム６２をハウジング５０内に出し入れ自在に収納し、ステムラバー６７を大径部５２上にはめ付ける。
【００５２】
その後、マウンテンキャップ７０の中心孔７０ａにステム６２を通し、ステムラバー６７を圧縮するとともに、ハウジング５０の上部に抱き付かせ、マウンテンキャップ７０を取り付ける。マウンテンキャップ７０は、外周縁に、逆Ｕ字型に湾曲する巻き締め部７０ｂを形成し、その巻き締め部７０ｂを容器４０の口部周縁にガスケットラバー７１を介して図１３に示すようにクリンプして巻き締め、ステム６２を上向きに突出して容器４０の口部にこの噴射バルブ装置Ｂを取り付ける。
【００５３】
そして、図１３に示すように、容器４０の口部を被って容器４０にカバー部材４４を取り付ける。カバー部材４４には、頂部４４ａから上向きに円筒部４４ｂを突出する一方、下向きに順次長くのばして内筒部４４ｃ、中筒部４４ｄ、外筒部４４ｅを設ける。
【００５４】
内筒部４４ｃの先端は、巻き締め部７０ｂ内に入り込んでそれに内側から軽くあてがうようにする。中筒部４４ｄの先端は、巻き締め部７０ｂの顎部に外側から掛け止めてカバー部材４４が容器４０から外れないようにする。外筒部４４ｅの先端は、容器４０の肩部までのばして容器４０の外形と連続性を持たせ、外観上容器４０と一体感を保持し得るようにしている。
【００５５】
そして、ステム６２の円筒部材取付部６５に円筒部材４５のステム嵌合部４５ａをはめ付ける。円筒部材４５は、上から順に、細長い小径筒部４５ｂと中径筒部４５ｃと大径筒部４５ｄとを設け、大径筒部４５ｄ内に上述のステム嵌合部４５ａを形成する。
【００５６】
小径筒部４５ｂと中径筒部４５ｃは、上述した図１ないし図１０に示す例で用いると同様な押下部材２７の一重パイプ部２７ｂに挿入する。そして、円筒部材４５の大径筒部４５ｄと押下部材２７の一重パイプ部２７ｂのまわりに上述した例で用いると同様な止めキャップ２３を取り付ける。止めキャップ２３は、キャップ部２３ａをカバー部材４４の円筒部４４ｂのまわりに被せるようにはめ付ける。
【００５７】
止めキャップ２３上には、上述した図１ないし図１０に示す例で用いると同様なストッパ部材２５を押下部材２７の一重パイプ部２７ｂまわりに回動自在に取り付ける。
【００５８】
他方、止めキャップ２３の支柱部２３ｃは、先端にトリガーレバー２６の基端を回動自在に取り付ける。この例のトリガーレバー２６では、指掛け部２６ｅを長くのばし、例えば看護師が指掛け部２６ｅをポケットやベルトなどに引っ掛けて持ち運びしやすいようにしたり、清掃員が指掛け部２６ｅを清掃ワゴンのフレームに引っ掛けて持ち運びしやすいようにしたりする。
【００５９】
そして、トリガーレバー２６の係合凹部２６ｄを、上述した例と同様に、押下部材２７の係合突部２７ａに係合する。
【００６０】
いま、この噴出器を使用するときは、容器４０を持って指当て部２５ｃに指を当て、ストッパ部材２５をステム６２の往復動方向まわりに任意の方向に回動し、指当て部２５ｃから９０度離れた位置にあるクリック突部２５ｇのいずれか一方をクリック係合部２３ｅにクリック感をもってはめ付け、ストッパ部材２５をロック解除位置とする。
【００６１】
その後、指掛け部２６ｅに指を掛け、図１４に示すようにトリガーレバー２６を反時計方向に回動すると、押下部材２７の突き当て突部２７ｄがストッパ部材２５の逃げ凹部２５ｅ内に入り込み、押下部材２７の押し下げを可能として円筒部材４５をともなってステム６２を押し込み、ステムラバー６７を弾性変形して貫通孔６４ａを開く。
【００６２】
そして、容器４０内の内容物を噴射材の圧力により押し上げ、パイプ５６内を通して小径部５３内から大径部５２内へと入れる。次いで、内容物吐出通路６８を通して貫通孔６４ａからステム６２の吐出通路６５ａに導き、その吐出通路６５ａを通して円筒部材４５の流路４５ｅに入れ、連通路２７ｅを通して噴口３０ａから外部に向けて噴射する。
【００６３】
使用を止めるときは、指掛け部２６ｅから手を離して押下部材２７の押し込みを解除し、コイルスプリング６０でステム６２を押し上げてステムラバー６７の変形を戻し、貫通孔６４ａを塞いで噴口３０ａからの噴射を停止する。そして、指当て部２５ｃに指を当ててストッパ部材２５をステム６２の往復動方向まわりに回動し、再び図１１に示すロック位置として押下部材２７の押し下げを阻止し、トリガーレバー２６の回動を規制する。
【００６４】
【発明の効果】
以上説明したとおり、請求項１ないし３に記載の発明によれば、ポンプ型トリガー式噴出器の噴出ポンプ装置において、ロック位置としたときトリガーレバーの回動を阻止するストッパ部材をピストンの往復動方向まわりにロック位置とロック解除位置とに回動自在に設けるから、ストッパ部材を比較的大きなトリガーレバーで隠して見栄えを良くすることができる。
【００６５】
トリガーレバーの下に外れないように常時取り付けることが可能であるから、ストッパ部材を紛失するおそれをなくすことができる。また、ストッパ部材を片手で簡単に操作可能として操作性を向上することもできる。
【００６６】
また、トリガーレバーを回動したとき押し下げる押下部材を設け、その押下部材に、ストッパ部材をロック位置としたときそのストッパ部材に突き当たる突き当て突部を形成するとともに、ストッパ部材に、それをロック解除位置としたとき突き当て突部を逃げる逃げ凹部を形成するから、押下部材の押し下げ阻止と阻止解除を簡単な構成で行うことができる。
【００６７】
請求項２に記載の発明によれば、ストッパ部材に、それを回動操作するときに指を当てる指当て部を設けるから、ストッパ部材の回動操作を容易とすることができる。
【００６８】
請求項３に記載の発明によれば、ストッパ部材を、ロック位置とロック解除位置とにクリック感をもって回動自在とするから、ストッパ部材の位置決めを誤りなく確実に行うことができる。
【００６９】
請求項４に記載の発明によれば、請求項１ないし３のいずれか１に記載の噴出ポンプ装置を備えるから、上記効果を有する噴出ポンプ装置を備えたポンプ型トリガー式噴出器を提供することができる。
【００７０】
請求項５ないし７に記載の発明によれば、エアゾール型トリガー式噴出器の噴出バルブ装置において、ロック位置としたときトリガーレバーの回動を阻止するストッパ部材をステムの往復動方向まわりにロック位置とロック解除位置とに回動自在に設けるから、ストッパ部材を比較的大きなトリガーレバーで隠して見栄えを良くすることができる。
【００７１】
トリガーレバーの下に外れないように常時取り付けることが可能であるから、ストッパ部材を紛失するおそれをなくすことができる。また、ストッパ部材を片手で簡単に操作可能として操作性を向上することもできる。
【００７２】
また、トリガーレバーを回動したとき押し下げる押下部材を設け、その押下部材に、ストッパ部材をロック位置としたときそのストッパ部材に突き当たる突き当て突部を形成するとともに、ストッパ部材に、それをロック解除位置としたとき突き当て突部を逃げる逃げ凹部を形成するから、押下部材の押し下げ阻止と阻止解除を簡単な構成で行うことができる。
【００７３】
請求項６に記載の発明によれば、ストッパ部材に、それを回動操作するときに指を当てる指当て部を設けるから、ストッパ部材の回動操作を容易とすることができる。
【００７４】
請求項７に記載の発明によれば、ストッパ部材を、ロック位置とロック解除位置とにクリック感をもって回動自在とするから、ストッパ部材の位置決めを誤りなく確実に行うことができる。
【００７５】
請求項８に記載の発明によれば、請求項５ないし７のいずれか１に記載の噴出バルブ装置を備えるから、上記効果を有する噴出バルブ装置を備えたエアゾール型トリガー式噴出器を提供することができる。
【図面の簡単な説明】
【図１】この発明に係るポンプ型トリガー式噴出器の噴出ポンプ装置の外観斜視図である。
【図２】その縦断面図である。
【図３】その噴出ポンプ装置で用いる第１ピストンの縦断面図である。
【図４】その噴出ポンプ装置で用いる弾性弁の縦断面図である。
【図５】その噴出ポンプ装置で用いる第２ピストンの斜視図である。
【図６】（Ａ）はその第２ピストンの底面図、（Ｂ）は他例の第２ピストンの底面図、（Ｃ）はさらに他例の第２ピストンの底面図である。
【図７】その噴出ポンプ装置で用いるストッパ部材の斜視図である。
【図８】（Ａ）はそのストッパ部材の平面図、（Ｂ）はそのＡ−Ａ線に沿う矢示方向縦断面図である。
【図９】上記噴出ポンプ装置で用いる押下部材の斜視図である。
【図１０】その噴出ポンプ装置の使用状態の縦断面図である。
【図１１】この発明に係る噴出バルブ装置を備えるエアゾール型トリガー式噴出器の一部省略外観斜視図である。
【図１２】その噴出バルブ装置の要部の縦断面図である。
【図１３】その容器取り付け状態の部分縦断面図である。
【図１４】その噴出バルブ装置の使用状態の縦断面図である。
【符号の説明】
１０    容器
１０ａ  容器の口部
１８    第１ピストン
２１    ピストン
２２    第２ピストン
２３    止めキャップ
２３ｅ  クリック係合部
２５    ストッパ部材
２５ｃ  指当て部
２５ｅ  逃げ凹部
２５ｇ  クリック突部
２６    トリガーレバー
２７    押下部材
２７ｄ  突き当て突部
３０    ノズル部材
３０ａ  噴口
４０    容器
６２    ステム
６７    ステムラバー（バルブ）
Ｐ      噴出ポンプ装置
Ｂ      噴出バルブ装置
【図１】
0004177614.tif 000002
【図２】
0004177614.tif 000003
【図３】
0004177614.tif 000004
【図４】
0004177614.tif 000005
【図５】
0004177614.tif 000006
【図６】
0004177614.tif 000007
【図７】
0004177614.tif 000008
【図８】
0004177614.tif 000009
【図９】
0004177614.tif 000010
【図１０】
0004177614.tif 000011
【図１１】
0004177614.tif 000012
【図１２】
0004177614.tif 000013
【図１３】
0004177614.tif 000014
【図１４】
0004177614.tif 000015